(57)【要約】【課題】一人でも簡単に施工でき、見栄えがよく、リフォーム性にも優れる手摺りの取付構造を提供する。【解決手段】壁面(Ｓ)における手摺り(Ｒ)の取付位置に沿うように配設される帯板(１２)と、壁面(Ｓ)の帯板(１２)取付位置の長手方向端部に固定され、帯板(１２)長手方向の端部木口(１２ｄ)が連結されて当該端部木口(１２ｄ)を覆うエンドブラケット(１４)と、壁面(Ｓ)に配設された帯板(１２)及びエンドブラケット(１４)の表面を被覆するカバー部材(１６)とを備える。そして、帯板(１２)長手方向の端部木口(１２ｄ)の幅方向中央には、頭部(１８ａ)が突出するように係合ビス(１８)が取り付けられ、エンドブラケット(１４)における端部木口(１２ｄ)との当接面(１４ｃ)の幅方向中央には、係合ビス(１８)の頭部(１８ａ)を着脱可能に係止するビス頭係止部(２０)が設けられている。【選択図】図１
2016121504.tif 000002
【特許請求の範囲】
【請求項１】
壁面(Ｓ)に手摺り(Ｒ)を取り付ける際に用いる手摺りの取付構造であって、
上記壁面(Ｓ)における上記手摺り(Ｒ)の取付位置に沿うように配設される帯板(１２)と、
上記壁面(Ｓ)の帯板(１２)取付位置の長手方向端部に固定され、上記帯板(１２)長手方向の端部木口(１２ｄ)が連結されて当該端部木口(１２ｄ)を覆うエンドブラケット(１４)と、
上記壁面(Ｓ)に配設された上記帯板(１２)及び上記エンドブラケット(１４)の表面を被覆するカバー部材(１６)とを備え、
上記帯板(１２)長手方向の端部木口(１２ｄ)の幅方向中央には、頭部(１８ａ)が突出するように係合ビス(１８)が取り付けられており、
上記エンドブラケット(１４)における上記端部木口(１２ｄ)との当接面(１４ｃ)の幅方向中央には、上記係合ビス(１８)の頭部(１８ａ)を着脱可能に係止するビス頭係止部(２０)が設けられている、
ことを特徴とする手摺りの取付構造。
【請求項２】
請求項１の手摺りの取付構造において、
前記エンドブラケット(１４)の幅方向中央に位置する前記ビス頭係止部(２０)奥部の幅方向中央には、墨出し位置合わせ用溝(２２)が高さ方向に堀設されている、ことを特徴とする手摺りの取付構造。
【発明の詳細な説明】
【技術分野】
【０００１】
本発明は、壁面に手摺りを取り付ける際に用いる手摺りの取付構造の改良に関する。
【背景技術】
【０００２】
壁面に手摺りを取り付けるためには、壁面に釘やビスを打ち込んで手摺り受け等を固定しなければならないが、この手摺り受け等を石膏ボード等の化粧壁面に固定することは強度等の点で問題がある。このため、上記の釘やビスを柱や間柱等の下地部分に届くように打ち込む必要があるが、必ずしも上記固定に都合の良い位置に下地部分が有るとは限らない。
そこで、従来、例えば下記の特許文献１に示すように、化粧壁面表面の手摺り取付部分に沿って長尺の帯板（幕板）を取り付け、この帯板を介して化粧壁面に手摺りを取り付けるようにしていた。
【先行技術文献】
【特許文献】
【０００３】
【特許文献１】実開平６-１０４５８号公報
【発明の概要】
【発明が解決しようとする課題】
【０００４】
しかしながら、上記従来の技術には、次のような問題があった。
すなわち、長尺の帯板を化粧壁面に取付施工する際には、先ず始めに墨出しを行なった後、墨出し線に沿って帯板を位置決めし、位置決めした帯板を押さえながらビスなどの固定手段で固定していた。
ここで、通常、この種の帯板は２７００〜４０００ｍｍの長さが有るため、上記施工を一人で行なうのは事実上不可能であり、特に階段部分のように足場の悪い場所では施工がより一層困難になるという問題が有った。
また、帯板を下地部分に固定するために打ち込んだ釘やビスが、場合によっては帯板の表面に露出したままの状態となり、更にリフォームの際には、かかる釘やビス等の打ち込み跡が帯板の表面に残ったままの状態になって、ともに見栄えが悪くなるという問題も有った。
それゆえに、本発明の主たる課題は、一人でも簡単に施工でき、見栄えがよく、リフォーム性にも優れる手摺りの取付構造を提供することである。
【課題を解決するための手段】
【０００５】
上記の課題を達成するため、本発明は、例えば、図１から図５に示すように、壁面Ｓに手摺りＲを取り付ける際に用いられる「手摺りの取付構造１０」を次のように構成した。
壁面Ｓにおける手摺りＲの取付位置に沿うように配設される帯板１２と、上記壁面Ｓの帯板１２取付位置の長手方向端部に固定され、上記帯板１２長手方向の端部木口１２ｄが連結されて当該端部木口１２ｄを覆うエンドブラケット１４と、上記壁面Ｓに配設された上記帯板１２及び上記エンドブラケット１４の表面を被覆するカバー部材１６とを備える。
そして、上記帯板１２長手方向の端部木口１２ｄの幅方向中央には、頭部１８ａが突出するように係合ビス１８が取り付けられ、上記エンドブラケット１４における上記端部木口１２ｄとの当接面１４ｃの幅方向中央には、上記係合ビス１８の頭部１８ａを着脱可能に係止するビス頭係止部２０が設けられている。
【０００６】
本発明は、次の作用を奏する。
壁面Ｓにおける帯板１２取付位置の長手方向端部にエンドブラケット１４を取り付けると共に、そのエンドブラケット１４のビス頭係止部２０に帯板１２の端部木口１２ｄに取り付けた係合ビス１８の頭部１８ａを係止させるだけで、当該帯板１２の長手方向端部を壁面Ｓにおける所定の取付位置に仮止めすることができる。
このため、施工者は、帯板１２の長手方向のもう一方の端部木口を持ち上げて押さえながら、或いは、当該もう一方の端部木口にも係合ビス１８を取り付けてエンドブラケット１４で仮止めすることにより、単身で、帯板1２の下地部分に該当する位置に釘やビスを打ち込んで当該帯板１２を壁面Ｓの所定位置に固定することが出来る。
また、リフォームの際には、カバー部材１６のみを取り換えればよい。
【０００７】
本発明においては、上記エンドブラケット１４の幅方向中央に位置するビス頭係止部２０奥部の幅方向中央に、その高さ方向にて墨出し位置合わせ用溝２２を堀設することが好ましい。
この場合、エンドブラケット１４を壁面Ｓの所定の取付位置に正確に取り付けることができ、延いては帯板１２を含めた手摺りの取付構造１０を目的とする位置に正確に取り付けることができるようになる。
【発明の効果】
【０００８】
本発明によれば、一人でも簡単に施工でき、見栄えがよく、リフォーム性にも優れる手摺りの取付構造を提供することができる。
【図面の簡単な説明】
【０００９】
【図１】本発明における手摺りの取付構造の一例を示す説明図で、当該取付構造の長手方向一方側の端部を模式的に示した図である。
【図２】本発明におけるエンドブラケットの取付態様の一例を示す図である。
【図３】本発明におけるエンドブラケットに帯板を連結する施工手順の一例を示す図である。
【図４】本発明におけるエンドブラケット及び帯板にカバー部材を取り付ける施工手順の一例を示す図である。
【図５】本発明におけるエンドブラケット及び帯板に取り付けるカバー部材の他の例を示す説明図である。
【図６】本発明の手摺りの取付構造の施工例を示す概略図で、（ａ）は出隅における施工例を示し、（ｂ）は入隅における施工例を示す。
【発明を実施するための形態】
【００１０】
以下、本発明の一実施形態を図１から図５によって説明する。
図１は、本発明の手摺りの取付構造１０を用いて壁面Ｓに手摺りＲを取り付けた状態を示す説明図である。この図が示すように、本発明の手摺りの取付構造１０は、帯板１２，エンドブラケット１４及びカバー部材１６により大略構成される。
【００１１】
帯板１２は、ＭＤＦ(Medium Density Fiberboard；中密度繊維板)やＬＶＬ(Laminated Veneer Lumber；平行合板)などの木質材料等で形成された長尺の部材で、壁面Ｓにおける手摺りＲの取付位置に沿うように配設される。
この帯板１２の壁面取付状態における裏面側両側部には、図３〜図５に示すように、長手方向に帯板本体１２ａの肉が切り欠けられて段部１２ｂが形成されている。また、帯板本体１２ａ表面の幅方向中央には、長手方向に延びる凹溝１２ｃが堀設されている。
そして、この帯板１２の長手方向の端部木口１２ｄには、後述するエンドブラケット１４と連結する際に用いる係合ビス１８が、その頭部１８ａを突出するように取り付けられている(図３(ａ)参照)
【００１２】
エンドブラケット１４は、ＡＢＳ樹脂などの合成樹脂で形成された支持具で、ブロック状のブラケット本体１４ａを有する。
図２に示すように、このブラケット本体１４ａの壁面取付状態における表面側には、上下一対のネジ穴１４ｂが穿設されており、このネジ穴１４ｂにネジ１５等の固定手段を通すことによって、当該エンドブラケット１４が壁面Ｓにおける上記帯板１２取付位置の長手方向端部に固定される。
【００１３】
このブラケット本体１４ａが帯板１２の端部木口１２ｄと当接する当接面１４ｃの幅方向中央には、ブラケット本体１４ａの壁面取付状態における前後方向に開口し、係合ビス１８の頭部１８ａを着脱可能に係止するビス頭係止部２０が設けられている。そして、このビス頭係止部２０奥部の幅方向中央には、墨出し位置合わせ用溝２２が高さ方向(図２における前後方向)に堀設されている。
【００１４】
また、このブラケット本体１４ａにおける当接面１４ｃの反対側の面には、後述するカバー部材１６を取り付けて手摺りの取付構造１０を完成させた際に、当該カバー部材１６の端部が表面に露出しないよう被覆すべく、その外形が拡大されたフランジ部１４ｄが形成されている。なお、このフランジ部１４ｄの表面は、水転写化粧などを施し、装飾性を向上させておくことができる。
さらに、上記当接面１４ｃの壁面取付状態における裏面側両側部には、前方に向けて突出し、帯板１２の段部１２ｂをその両側から挟持して帯板１２の取付方向をガイドすると共に、帯板１２の脱落を防止する上下一対のアーム部１４ｅが形成されている。なお、このアーム部１４ｅで帯板１２を確実に固定するため、図２に示すように、当該アーム部１４ｅの先端部に、互いに対面するアーム部１４ｅ側へ向けて突出する小さな突起１４ｆを設けるのが好ましい。
【００１５】
カバー部材１６は、ＡＢＳ樹脂などの合成樹脂で形成された幅方向断面が略コ字状の長尺部材で、壁面Ｓに配設された帯板１２及びエンドブラケット１４の表面を被覆するためのものである。
図４に示すように、このカバー部材１６の壁面取付状態における本体１６ａの上下両端に形成される側片部１６ｂの内側には、帯板１２の段部１２ｂに係合する爪部２４が設けられている。また、上記取付状態における上側の側片部１６ｂの先端には、カバー部材１６と壁面Ｓとの間に隙間が生じないように被覆する、軟質エラストマーからなる可撓部２６が設けられる。なお、この可撓部２６に蓄光性を持たせるようにすれば、夜間の暗闇の中でも手摺りＲの存在が分かり易く、容易に手摺りＲを握ることができるので、階段での踏み外し等の事故を未然に防止することができる。
そして、カバー部材１６の本体１６ａ及び一対の側片部１６ｂの表面には、意匠性を高めるためにシート化粧材２８が貼着されている。
【００１６】
なお、このカバー部１６の爪部２４に換えて、或いは図５に示すように、これらの爪部２４と共に、帯板１２の凹溝１２ｃに嵌合する嵌合凸部３０を、本体１６ａ裏面の幅方向中央位置に設けるようにしてもよい。さらに、カバー部１６を帯板１２に固定するため、接着剤や両面テープによる接着を併用してもよい。
ここで、図５における符号３２は、帯板１２を固定するための「下地部分」となる間柱であり、この間柱３２などの下地部分に釘３４などの固定具を用いて帯板１２が固定される。
【００１７】
次に、以上のように構成された手摺りの取付構造１０を施工する際には、先ず始めに、壁面Ｓにおける手摺りＲの取付位置に墨出しを行ない、壁面Ｓにおける帯板１２取付位置の長手方向端部の位置にて、図２に示すように、墨出し線３６とエンドブラケット１４の墨出し位置合わせ用溝２２との位置を合わせてエンドブラケット１４を位置決めする。そして、位置決めしたエンドブラケット１４のネジ穴１４ｂにネジ１５を通し、このネジ１５を壁面Ｓ内部に向けて螺進させてエンドブラケット１４を壁面Ｓに固定する。
【００１８】
続いて、エンドブラケット１４のビス頭係止部２０に帯板１２の端部木口１２ｄに取り付けた係合ビス１８の頭部１８ａを係止させ、当該帯板１２の長手方向一方端部を壁面Ｓにおける所定の取付位置に仮止めする。
【００１９】
次に、帯板１２の長手方向の他方の端部木口を持ち上げて所定位置で押さえながら、或いは、当該他方の端部木口にも上記と同様に係合ビス１８を取り付けてエンドブラケット１４で仮止めした後、帯板1２の下地部分に該当する間柱３２などの位置に釘３４やビスを打ち込んで当該帯板１２を壁面Ｓの所定位置に固定する（図５参照）。
【００２０】
そして、帯板１２及びエンドブラケット１４の表面にカバー部材１６を取り付けてこれらを被覆することにより手摺りの取付構造１０が完成する。
後は、当該取付構造１０の任意の位置に手摺りＲの取付金具を固定することで、手摺りの施工が完了する。
【００２１】
なお、この手摺りの取付構造１０を出隅に施工する際には、図６（ａ）に示すように、先に施工した一方の帯板１２の端部木口１２ｄ表側にエンドブラケット１４を固定すれば、出隅部の意匠性を綺麗にまとまりよく施工することが出来る。
これに対し、この手摺りの取付構造１０を入隅に施工する際には、図６（ｂ）に示すように、帯板１２の端部木口１２ｄそれぞれをエンドブラケット１４で固定するのが好ましい。
【００２２】
また、リフォームなどの際に手摺りＲを取り外し、新たな位置に手摺りＲの固定金具を取り付けた場合には、以前の固定金具取付箇所に穴が開いた状態となり、見栄えが悪くなる。しかしながら、本発明の手摺りの取付構造１０では、このような場合、カバー部材１６のみを新調すればよく、非常に合理的である。また、手摺りＲの色柄に合わせてカバー部材１６表面のシート化粧材２８を変えるだけで容易に内装のコーディネートができる。
【符号の説明】
【００２３】
１０…手摺りの取付構造
１２…帯板
１２ｄ…端部木口
１４…エンドブラケット
１４ｃ…当接面
１６…カバー部材
１８…係合ビス
１８ａ…頭部
２０…ビス頭係止部
２２…墨出し位置合わせ用溝
Ｓ…壁面
Ｒ…手摺り
【図１】
2016121504.tif 000003
【図２】
2016121504.tif 000004
【図３】
2016121504.tif 000005
【図４】
2016121504.tif 000006
【図５】
2016121504.tif 000007
【図６】
2016121504.tif 000008